(57)【要約】【課題】  軸内に収容した中綿に複数液を混じり合わせることなく充填することができ、かつ使用時に複数液を混ぜて対象物に塗布することができる中綿式複数液塗布具を提供する。【解決手段】  軸１２の収容室１２ｂ内に収容する複数の中綿３４Ａ，３４Ｂは、互いに内容液同士が流通し合わないようにする外被３６等の遮液構造を有しており、各中綿３４Ａ，３４Ｂに異なる内容液が充填され、かつ、液誘導芯１６が接しており、各中綿３４Ａ，３４Ｂから液誘導芯１６を介して塗布部１０に内容液を誘導する中綿式複数液塗布具である。【選択図】図１
2008200444.tif 000002
【特許請求の範囲】
【請求項１】
先端に塗布部を露出状態で設けた中空の軸と、その軸内に収容し内容液を充填して保持する中綿と、その中綿に接して前記塗布部に内容液を導く液誘導体とを有し、この塗布部を対象体に接しさせて内容液を対象体に塗布する塗布具において、
前記軸または中綿は、複数の中綿が互いに内容液同士が流通し合わないようにする遮液構造を有して、
各中綿に異なる内容液が充填され、かつ、液誘導体が接しており、
各中綿から液誘導体を介して塗布部に内容液を誘導するようにしたことを特徴とする中綿式複数液塗布具。
【請求項２】
各中綿に充填される内容液は、混合した場合に少なくとも一つの内容液が変質するものであることを特徴とする請求項１に記載の中綿式複数液塗布具。
【請求項３】
複数の中綿は、軸の長さ方向に沿う隔壁からなる遮液構造を介して一体に形成されたものであることを特徴とする請求項１または２に記載の中綿式複数液塗布具。
【請求項４】
複数の中綿は、それぞれ外周面に遮液性の外被が形成された遮液構造を有して、個別の中綿が各液誘導体に接するように揃えられて収容室内に収容されていることを特徴とする請求項１または２に記載の中綿式複数液塗布具。
【請求項５】
各中綿に接する液誘導体は個別に設けられ、かつ、各液誘導体同士が接しないように各液誘導体同士間には、遮液壁または空間が介在されていることを特徴とする請求項１ないし４のうちの１項に記載の中綿式複数液塗布具。
【請求項６】
中綿式複数液塗布具は、その不使用時に軸先端部を着脱自在に覆うキャップ本体が取付けられるものであり、
このキャップ本体には、塗布部の先端部に接触しかつインクが含浸可能な受け体を取付けた中キャップと、この中キャップをキャップ本体の開口方向へ付勢するスプリングを設けており、
受け体は、各塗布部が接触している各領域同士の間に遮液壁を設けたことを特徴とする請求項１から５のうちの１項に記載の中綿式複数液塗布具。
【請求項７】
軸が中空の軸体を複数組み合わせた塗布具を構成するものであって、軸体それぞれは、先端に露出状態で設けた塗布部と、その軸体中空内に収容される内容液を充填した中綿と、その中綿に接して前記塗布部に内容液を導く液誘導体とを有していることを特徴とする請求項１または２に記載の中綿式複数液塗布具。
【発明の詳細な説明】
【技術分野】
【０００１】
本発明は、中空の軸内に収容した中綿に内容液を充填して保持し、その中綿に接しさせた液誘導体によって塗布部に内容液を導き、この塗布部を対象体に接しさせて内容液を対象体に塗布する中綿式複数液塗布具に関する。
【背景技術】
【０００２】
従来、通常のサインペン等のように、軸内の中綿に内容液を充填し、軸先端にペン芯を取付けて筆記や塗布する機構は知られていた。
【０００３】
この種の容器においては、単一の内容液の塗布しかできなかった。
【０００４】
また、ツインタイプ（両頭）タイプの塗布具では、１本の軸に２本の中綿をいれ、異なった色や効果のある内容液を各中綿に充填し、各筆記部（軸の両端にそれぞれ設けられる）で別々に塗付することが可能であった。
【０００５】
また、中綿に複数のペン芯を取付けて効率的に頭髪等に内容液を塗布する化粧具も知られている（実公平０８−１９号公報：特許文献１）。
【０００６】
この特許文献１に記載された頭髪用液体化粧料の塗布具では、図５に示すように、軸１２内部に化粧料を吸蔵した単一の化粧料供給体（中綿）１４を収容し、先端が塗布部１０になる複数の液誘導芯１６を軸先端部１２ａに先軸１８によって固定し、軸先端部１２ａにはキャップ本体２０をネジ２２によって着脱自在としている。
【０００７】
キャップ本体２０には、液誘導芯１６の先端塗布部１０が接触するフェルト等の液が含浸可能な芯受け２４を取付けた中キャップ２６を、スプリング２８によりキャップ本体２０の開口方向へ付勢している。液誘導芯１６は先端部の塗布部１０になった毛管作用を有する塗布用のものであり、液誘導芯１６の後端部を中綿に接続している。複数の液誘導芯１６が軸に垂直の一方向に並べて配列され、その配列された液誘導芯１６を外側から囲むように櫛体３０が配列されている。頭髪を櫛体３０および液誘導芯１６の塗布部１０によって梳かすように使用して、化粧料を髪の毛に塗布する。
【０００８】
従来、複数の種類の液を塗布する場合については、複数の塗布具を用意し、容器を持ち替えて塗布する必要があり、ツインタイプであっても同様で同一容器の両端のキャップを外して別々に二回塗布する必要があり、煩雑さは複数容器を使用することと同じである。
【０００９】
使い勝手を良くするために、２種類の内容液を混ぜて１本の中綿に充填した場合に、液同士が反応して所定の効果を得られない場合にはどうしても複数容器あるいはツイン容器を使う必要があり、塗布が煩雑であった。
【００１０】
例えば、頭髪を黒く見せるための頭髪染毛料において、塗布時に隠蔽力があり毛髪を黒く見せるため一時的に毛髪に付着する顔料の内容液と、黒さはあまりないが毛髪を徐徐に黒く染める染毛料（永久染毛料）とを一回の手順または操作で塗布することができれば、塗布時に直ぐ毛髪を黒くし、かつ、頭を洗って顔料が落ちても、毛髪を永久的に黒くする染毛効果がある理想的な染毛料を提供することができる。
【００１１】
しかしながら、この２液を混ぜて中綿に充填した場合、数日間は問題がないが長時間保管した場合は時間と共に２液同士が反応して液の色が黒から赤茶等に変色するため、流通時間や購入後に長く使われる商品として販売する製品としては問題があった。
【００１２】
また、整髪料と染毛料等のように異なった効果を持った液でかつ混ぜて充填した場合に問題の生じるような液同士の組み合わせにおいては、従来の容器では対応できなかった。
【００１３】
なお、特許文献１記載の塗布具においては、複数の中綿および芯に異なる種類の化粧料を使用した場合、異なる種類の化粧料同士が混ざり合って上述の変色等の不具合が生じる。また、キャップ本体２０内の中キャップ２６に設けた芯受け２４で複数の液誘導芯１６の塗布部１０を受けている場合に異なる種類の化粧料同士が芯受け２４で混じり合う場合があり、これによっても塗布液に変質などの不具合を生じさせる虞がある。
【特許文献１】実公平０８−１９号公報
【発明の開示】
【発明が解決しようとする課題】
【００１４】
本発明は、軸内に収容した中綿に複数液を混じり合わせることなく充填することができ、かつ使用時に複数液を混ぜて対象物に塗布することができる中綿式複数液塗布具を提供しようとするものである。
【課題を解決するための手段】
【００１５】
本発明は前記課題を解決する中綿式複数液塗布具であって、先端に塗布部を露出状態で設けた中空の軸と、その軸内に収容し内容液を充填して保持する中綿と、その中綿に接して前記塗布部に内容液を導く液誘導体とを有し、この塗布部を対象体に接しさせて内容液を対象体に塗布する塗布具において、前記軸または中綿は、複数の中綿が互いに内容液同士が流通し合わないようにする遮液構造を有して、各中綿に異なる内容液が充填され、かつ、液誘導体が接しており、各中綿から液誘導体を介して塗布部に内容液を誘導するようにしたことを特徴とする中綿式複数液塗布具である。
【００１６】
本発明においては、各中綿に充填される内容液は、混合した場合に少なくとも一つの内容液が変質するものであることが好適である。
【００１７】
本発明においては、複数の中綿は、軸の長さ方向に沿う隔壁からなる遮液構造を介して一体に形成されたものであることが好適である。
【００１８】
本発明においては、複数の中綿は、それぞれ外周面に遮液性の外被が形成された遮液構造を有して、個別の中綿が各液誘導体に接するように揃えられて収容室内に収容されていることが好適である。
【００１９】
本発明においては、各中綿に接する液誘導体は個別に設けられ、かつ、各液誘導体同士が接しないように各液誘導体同士間には、遮液壁または空間が介在されていることが好適である。
【００２０】
本発明においては、軸が中空の軸体を複数組み合わせた塗布具を構成するものであって、軸体それぞれは、先端に露出状態で設けた塗布部と、その軸体中空内に収容される内容液を充填した中綿と、その中綿に接して前記塗布部に内容液を導く液誘導体とを有していることが好適である。
【発明の効果】
【００２１】
本発明の中綿式複数液塗布具によれば、軸または中綿は、複数の中綿が互いに内容液同士が流通し合わないようにする遮液構造を有して、各中綿に異なる内容液が充填され、かつ、液誘導体が接しており、各中綿から液誘導体を介して塗布部に内容液を誘導するようにしたので、収容された内容液同士が混じり合うことが無く、かつ、塗布部で異なる内容液を対象体に同時に塗布することができる。
【００２２】
なお、各中綿に充填される内容液は、混合した場合に少なくとも一つの内容液が変質するものであれば、各中綿に内容液を混じり合うことなく充填することによって長時間・長期間の収容をしても内容液が変質することが無く、例えば長期間店頭展示するように塗布具製品であっても内容物の変質を防止でき、製品品質の低下を長期間防止できる。
【００２３】
また、複数の中綿は、軸の長さ方向に沿う隔壁からなる遮液構造を介して一体に形成されたものであるので、一体であることから部品コストが安く軸内に装着する作業が楽に行えることから組み立て作業負荷を低減でき、組み立てコストを低減することができる。
【００２４】
また、複数の中綿は、それぞれ外周面に遮液性の外被が形成された遮液構造を有して、個別の中綿が各液誘導体に接するように揃えられて収容室内に収容するようにすれば、中綿に予め内容液を充填して軸内に収容することが可能になる等、組付け作業に選択ができる。そして、個別の中綿が液誘導体に接するように収容室内に収容されていることによって、中綿の内容液を塗布部に確実に供給することができる。
【００２５】
また、各中綿に接する液誘導体は個別に設けられ、かつ、各液誘導体同士が接しないように各液誘導体同士間には、遮液壁または空間が介在されているものにすれば、液誘導体同士で液同士が混じり合うことを確実に防止できる。遮液壁は、液誘導体の外被に遮液性を持たせれば液誘導体と別に形成する必要が無く、構成を簡単化できる。
【００２６】
また、中綿式複数液塗布具が、その不使用時に軸先端部を着脱自在に覆うキャップ本体が取付けられるものであり、このキャップ本体には、塗布部の先端部に接触しかつインクが含浸可能な受け体を取付けた中キャップと、この中キャップをキャップ本体の開口方向へ付勢するスプリングを設けており、受け体は、各塗布部が接触している各領域同士の間に遮液壁を設けたものにすれば、受け体によって異なる種類の内容液同士が混じり合うことを防止でき、内容液が変質することを確実に防ぐことができる。
【００２７】
また、軸が中空の軸体を複数組み合わせた塗布具を構成するものであって、軸体それぞれは、先端に露出状態で設けた塗布部と、その軸体中空内に収容される内容液を充填した中綿と、その中綿に接して前記塗布部に内容液を導く液誘導体とを有していることにすれば、内容液毎に軸体、中綿、塗布具および液誘導体を部組でき、塗布具全体を一括で組み合わせるよりも組み立てやすく自動化し易い。また、内容液の種類毎に販売でき、内容液の組み合わせをユーザー側で自由に選択して使用することができ、極めて便利である。
【発明を実施するための最良の形態】
【００２８】
以下、本発明の実施の形態（実施形態）を、添付図面を参照して説明する。
【００２９】
図１〜図２は本発明の第１実施形態、図３は第２実施形態、図４は第３実施形態の各説明図であって、図中、図５と同一箇所に同一の符号を付した部分は同一物を表わす。
【００３０】
まず、図１〜図２に基づいて、第１実施形態に係る中綿式複数液塗布具を説明する。
【００３１】
図１は第１実施形態に係る、複数の塗布部が配列された方向に垂直方向に沿う断面図であって、（ａ）がキャップ本体２０を軸１２に設けた説明図、（ｂ）がキャップ本体２０を軸１２から外した状態の説明図である。なお、複数の塗布部１０の配列された方向に沿う断面は前記した図５（ｂ）と同様の形状になる。また、図２は軸１２に収容する中綿３４Ａ，３４Ｂの説明図である。後述する表１と表２は各中綿３４Ａ，３４Ｂに充填する内容液の例を説明するものである。
【００３２】
本発明の実施形態に係る中綿式複数液塗布具は、図１に示すように、先端に複数の塗布部１０を露出状態で設けた中空の軸１２と、その軸１２内に収容し内容液を充填して保持する中綿３４Ａ，３４Ｂと、その中綿３４Ａ，３４Ｂに接して前記塗布部１０に内容液を導く液誘導芯（液誘導体）１６とを有し、この塗布部１０を対象体（頭髪等）に接しさせて内容液を対象体に塗布する塗布具である。
【００３３】
そのような中綿式複数液塗布具の適用例は、２液式の頭髪用化粧（顔料内容液と染毛剤内容液からなるものを最適例とする）を各中綿３４Ａ，３４Ｂに種類毎の液を充填し、塗布時に、複数の塗布部１０によって頭髪に梳きながらその２液を同時に塗布可能にする２液式化粧料である。
【００３４】
詳しく述べる。
軸１２は一端が閉鎖され他端が開口した概略円筒容器形状を呈しており、この開口した他端を塞ぐように先軸１８が嵌入されている。この先軸１８に複数（例えば５本）の液誘導芯１６が２列で配列されてほぼ中央部を貫通して配置されている。そして、液誘導芯１６の列外側に平坦長板状の櫛体３０が複数配列されて先軸１８の凹所に埋め込まれて植設されている。軸１２の材質は、例えばＰＰ，ＰＥ，ＰＥＴ，ＰＥＮ，ナイロン（６ナイロン、１２ナイロン等一般的なもの以外に非晶質ナイロン等を含む），ポリメチルペンテン，ポリスチレン，ＡＢＳ等収容する塗布液の組成に応じ、適宜使用することができる。
【００３５】
液誘導芯１６は、その先端に塗布部１０が一体成形されたものである。液誘導芯１６は塗布部１０と別体でもよい。また、液誘導芯１６は、繊維質材を成形したもの、連続気泡の多孔質体を成形したもの、液を毛細管力で誘導するスリットを形成したもの等種々に構成できる。
液誘導芯１６の材質は、例えば天然繊維、獣毛繊維、ポリアセタール系樹脂、アクリル系樹脂、ポエステル系樹脂、ポリアミド系樹脂、ポリウレタン系樹脂、ポリオレフィン系樹脂、ポリビニル系樹脂、ポリカーボネイト系樹脂、ポリエーテル系樹脂、ポリフェニレン系樹脂などの１種または２種以上の組み合わせからなる繊維束、フェルト等の繊維束を加工したもの、また、スポンジ、樹脂粒子などの焼結体等の多孔体等がある。
そして、液誘導芯１６の毛細管力を中綿３４Ａ，３４Ｂよりも高く設定している。
【００３６】
各中綿３４Ａ，３４Ｂに接触する液誘導芯１６がそれぞれ複数ずつあることによって、１回の塗布で塗付量多くなることは当然であるが、複数本の塗付部１０で塗布することにより、２液を均一にムラ無く塗布できる。また、各中綿３４Ａ，３４Ｂに取付ける液誘導芯１６の本数を異なった本数とすることにより塗付量の調整を容易に行うことができる。
【００３７】
中綿３４Ａ，３４Ｂは、繊維質材を成形しまたは連続気泡の多孔質体を成形したものであり、中綿３４Ａ，３４Ｂの材質は、例えば天然繊維、獣毛繊維、ポリアセタール系樹脂、アクリル系樹脂、ポエステル系樹脂、ポリアミド系樹脂、ポリウレタン系樹脂、ポリオレフィン系樹脂、ポリビニル系樹脂、ポリカーボネイト系樹脂、ポリエーテル系樹脂、ポリフェニレン系樹脂などの１種または２種以上の組み合わせからなる繊維束、フェルト等の繊維束を加工したもの、また、スポンジ、樹脂粒子などの焼結体等の多孔体等がある。
【００３８】
本発明では、軸または中綿は、複数の中綿が互いに内容液同士が流通し合わないようにする遮液構造を有しており、各中綿に異なる内容液が充填され、かつ、液誘導芯１６が接しており、各中綿から液誘導体（液誘導芯１６）を介して塗布部に内容液を誘導するようにしたものである。
【００３９】
第１実施形態は、中綿３４Ａ，３４Ｂ自体に遮液構造を与えて、内容液同士の流通を規制・禁止している。
【００４０】
図２の（ａ）は、２種類の内容液をそれぞれの種類ごとに充填する２つの中綿３４Ａ，３４Ｂの説明図で、（ｂ）および（ｃ）は（ａ）のＡ−Ａ線に沿う断面視図である。その（ｂ）には実施例１に係る２つの中綿３４Ａ，３４Ｂが個別の場合の、（ｃ）は実施例２に係る２つの中綿３４Ａ，３４Ｂが一体成形された場合の説明図である。
【００４１】
実施形態１における遮液構造は、図２（ｂ）に示す実施例１のように、複数の中綿３４Ａ，３４Ｂが、それぞれ外周面に遮液性の外被３６が形成されたものであり、個別の中綿３４Ａ，３４Ｂが各液誘導芯１６に接するように揃えられて単一の収容室１２ｂ内に収容されている。中綿３４Ａ，３４Ｂが樹脂繊維の場合は、外周部の繊維密度を高める、膜の溶着形成、膜の巻付け等、種々の方法で遮液構造を構成する。中綿３４Ａ，３４Ｂが連続気泡体の場合は、外周部の連続気泡の開口を閉じる、膜の溶着形成、膜の巻付け等、種々の方法で遮液構造を構成することができる。
【００４２】
そして、２本をまとめて軸１２の収容室１２ｂ内に装着する。
【００４３】
また、（ｃ）に示す実施例２のように、複数の中綿３４Ａ，３４Ｂは、軸１２の長さ方向に沿う隔壁３６ａからなる遮液構造を介して一体に形成されたものである。遮液構造の隔壁３６ａは、繊維体または連続気泡体からなる２つ中綿３４Ａ，３４Ｂ材（複数の中綿に相当）の外周に上記実施例１と同様の外被等からなる遮液構造を形成し、一つに合わせて２つの充填領域を形成し、円柱形状などほぼ収容空間に合わせた形状に圧縮形成した一体形状のものとする。
【００４４】
したがって、実施例１のように複数本の中綿３４Ａ，３４Ｂを軸１２の収容室１２ｂ内に入れることによって、本発明の効果が得られることはもちろんである。実施例２のように、中綿３４Ａ，３４Ｂが長手方向で複数に領域に分割されている状態に一体になった物を使用することにより、部品コストや組み立て費用の削減を図ることができる。
【００４５】
中綿３４Ａ，３４Ｂの隔壁３６ａで仕切られた各充填領域には、各液誘導芯１６に接するように揃えられて収容室１２ｂ内に収容する。
【００４６】
そして、各中綿３４Ａ，３４Ｂに異なる内容液が充填され、かつ、液誘導芯１６が接しており、各中綿３４Ａ，３４Ｂから液誘導芯１６を介して塗布部１０に内容液を誘導する。
【００４７】
実施形態においては、各中綿３４Ａ，３４Ｂに充填される内容液は、混合した場合に少なくとも一つの内容液が変質する可能性のあるものである。
【００４８】
表１および表２は、各中綿３４Ａ，３４Ｂに充填する内容液の各例を説明するものである。表１には顔料を含む一時染毛料を示し、表２には染料を含む永久染毛料を示す。
そのうち、マイブロックワコー１０１（和光製薬工業社製）はポリジメチルシロキサンとアクリル樹脂の両樹脂の性質を兼ね備えた（アクリル酸アルキル／ジメチコン）コポリマーである。また、グリピュア（登録商標）７０はヘアケア原料として用いられるグリコール酸である。トナー・カーボンブラック（以下ＣＢ）−ＷＤは、シリカによる親水化処理を施したカーボンブラックの分散液である。
【００４９】
【表１】
2008200444.tif 000003
【表２】
2008200444.tif 000004
【００５０】
これら表１と表２の２液の組み合わせの場合、混合した状態で長期間放置すると、トナー・ＣＢ−ＷＤに分散されたカーボンブラックによって永久染毛料に含まれる染料・黒４０１が変色を起こし、赤褐色を呈するようになる。
【００５１】
また、実施形態では、図１に示すように、各中綿３４Ａ，３４Ｂに接する液誘導芯１６は個別に設けられ、かつ、各液誘導芯１６同士が接しないように各液誘導芯１６同士間には、遮液壁および空間が介在されている。実施形態では、液誘導体は先軸１８に支持・固定され、この先軸１８が遮液性の樹脂剤で形成されているので、液誘導体同士の遮液壁となっている。また、複数の液誘導芯１６，１６…の先端部の塗布部１０，１０…間は、空間３８が設けられているので、塗布部１０同士が接触しない構造になっている。
【００５２】
また、第１実施形態の中綿式複数液塗布具は、その不使用時に軸先端部１２ａおよび先軸１８を着脱自在に覆うキャップ本体２０が取付けられるものであり、このキャップ本体２０には、塗布部１０の先端部に接触しかつインクが含浸可能な受け体４０を取付けた中キャップ２６と、この中キャップ２６をキャップ本体２０の開口方向へ付勢するスプリング２８を設けており、受け体４０は、各塗布部１０が接触している各領域同士の間に遮液壁４０ａを設けたものである。
【００５３】
受け体４０は、中綿３４Ａ，３４Ｂと同材質でも、別材質の浸透にしにくい不連続気泡等を設けてもよいが、塗布部１０が接触する領域を仕切るように遮液壁４０ａを設けて領域相互に液が流通しないようにする。これによって、内容液同士が受け体４０を介して混じり合って塗布部１０に誘導された内容液に変質等の悪影響を与えるのを防止できる。
【００５４】
第１実施形態の中綿式複数液塗布具においては、図１に示すように、軸１２内の中綿３４Ａ，３４Ｂに内容液を充填し、その中綿３４Ａ，３４Ｂに液誘導芯１６を密着させ内容液を液誘導芯１６の先端の塗付部１０に導く塗布具において、その軸１２内の中綿３４Ａ，３４Ｂは複数の中綿を軸１２内に収容し（図２（ｂ）参照）または充填領域に分かれるようにして一体化した中綿（図２（ｃ）参照）であって、各中綿３４Ａ，３４Ｂに異なった内容液を充填し、その各中綿３４Ａ，３４Ｂに液誘導芯１６を接しさせて取付ける。
【００５５】
各中綿３４Ａ，３４Ｂは、外被３６または隔壁３６ａ等の遮液構造で隔てられ、お互いに接することなく内容液同士が混じり合うことがない。
【００５６】
また、塗付部１０も空間３８を介しおよび先軸１８が非浸透性材質であるので、お互いに接すことはなく、この部分においても、内容液同士が混じり合うことがない。
【００５７】
また、異なった液を含んだ液誘導芯１６および塗付部１０はおおよそ同一方向に取付けられ、塗布時にはその両方の塗付部１０で一緒（同時）に塗付することができる位置に取付けられる。
【００５８】
この軸１２に中綿３４Ａ，３４Ｂに前記染毛料を入れれば（含浸させれば）、１本の容器（塗布具）で塗布することにより毛髪を染毛料の色である黒等にすぐに見せる一次染毛効果と、頭を洗っても髪の毛が黒く染まってゆく永久染毛効果との機能を両方得られる。
【００５９】
毛髪上においてこの２液は混じるが、通常は短期間で洗髪するため、液の変色はせずに使用上問題とならない。
【００６０】
次に、図３に基づき、本発明の第２実施形態を説明する。
【００６１】
図３（ａ）は、第２実施形態に係る中綿式複数液体塗布具を、複数の塗布部が配列された方向に垂直方向に沿う断面説明図であり、（ｂ）は（ａ）の軸垂直方向のＢ−Ｂ線に沿う断面視図である。
【００６２】
第２実施形態の中綿式複数液塗布具は、図３に示すように、軸１２の収容室１２ｂを仕切り壁部４２で２つの空間に仕切って形成した各部屋内に種類が異なる内容液をそれぞれ充填する２つの中綿３４Ａ，３４Ｂをそれぞれ収容した中綿複数液体塗布具である。
【００６３】
中綿３４Ａ，３４Ｂは遮液構造を有していないので、中綿３４Ａ，３４Ｂ自体に遮液構造を設ける必要が無く、便利で簡単かつ安価な中綿３４Ａ，３４Ｂを使用できる。もちろん、中綿３４Ａ，３４Ｂの取り替え時可能にするならば、取り扱い時に手指の汚れを防止するために中綿３４Ａ，３４Ｂに外被３６を設けて良い。
【００６４】
なお、その他、第２実施形態は、第１実施形態と同様の構成を有し、作用効果を奏するので同様の部分に同一の符号を付してその説明を省略する。
【００６５】
次に、図４に基づき、第３実施形態を説明する。
【００６６】
図４（ａ）は、第３実施形態に係る中綿式複数液体塗布具であって、軸１２を分割した状態に形成した各軸体４４内の各部屋４４ａに中綿３４Ａ，３４Ｂを装着したものの片方の軸体の説明図で、（ｂ）は（ａ）のＣ−Ｃ線に沿う断面視図である。
【００６７】
図４に示すように、第３実施形態に係る中綿式複数液塗布具は、軸１２が中空の軸体（半体の軸）４４を複数組み合わせてものとして塗布具を構成するものであって、軸体４４それぞれは、先端に露出状態で設けた塗布部１０と、その塗付部を支持する半体の先軸４６と、その軸体４４中空内に収容される内容液を充填した中綿３４Ａ（３４Ｂ）と、その中綿３４Ａ（３４Ｂ）に接して前記塗布部１０に内容液を導く液誘導芯１６とを有している。軸体４４および先軸４６は、図１に示した塗布具において、（ｂ）で示す中心線にそって縦断したものと同様の構造を呈する。
【００６８】
第３実施形態によれば、内容液毎に軸体４４、中綿３４Ａ（３４Ｂ）、塗布部１０（液誘導芯１６）を部組でき、部組したもの同士を合わせて全体を組み立てることができ、第１実施形態や第２実施形態のように、塗布具全体を一括で組み立てるものよりも組み立てやすく自動化し易い。
【００６９】
また、内容液の種類毎に販売でき、内容液の組み合わせをユーザー側で自由に選択して使用することができ、極めて便利である。その他は、各軸体を組み合わせて一体化して、第１実施形態および第２実施形態と同様の構成を有し、作用効果を奏するので同様の部分に同一の符号を付してその説明を省略する。
【００７０】
なお、本発明の中綿式複数液塗布具は、上記した実施の形態に限定されるものではなく、本発明の要旨を逸脱しない範囲内において種々変更を加え得ることは勿論である。
【図面の簡単な説明】
【００７１】
【図１】本発明の第１実施形態に係る中綿式複数液体塗布具の、複数の塗布部が配列された方向に垂直方向に沿う断面説明図であって、（ａ）がキャップ本体を軸に設けた説明図、（ｂ）がキャップ本体を軸から外した状態の説明図である。
【図２】（ａ）は、第１実施形態に係る２種類の内容液をそれぞれの種類ごとに充填する２つの中綿の説明図で、（ｂ）および（ｃ）は（ａ）のＡ−Ａ線に沿う断面視図であって、（ｂ）は実施例１に係る２つの中綿が個別の場合の、（ｃ）は実施例２に係る２つの中綿が一体成形された場合の説明図である。
【図３】（ａ）は、第２実施形態に係る中綿式複数液体塗布具であって、隔壁で仕切った各部屋に２種類の内容液をそれぞれの種類ごとに充填する２つの中綿を装着したものの説明図で、（ｂ）は（ａ）のＢ−Ｂ線に沿う断面視図である。
【図４】（ａ）は、第３実施形態に係る中綿式複数液体塗布具であって、分割した各軸体内の各部屋に中綿を装着したものの説明図で、（ｂ）は（ａ）のＣ−Ｃ線に沿う断面視図である。
【図５】塗布具の従来技術の説明図であって、（ａ）は塗布具をペン芯並び方向横断面図、（ｂ）はペン芯並び方向に沿う断面図である。
【符号の説明】
【００７２】
１０  塗布部
１２  軸（軸筒部）
１２ａ  軸先端部
１２ｂ  収容室
１６  液誘導芯
１８  先軸
２０  キャップ本体
２２  ネジ
２６  中キャップ
２８  スプリング
３０  櫛体
３４Ａ，３４Ｂ  中綿
３６  中綿の外被
３６ａ  中綿同士の隔壁
３８  塗付部間の空間
４０  受け体
４０ａ  受け体の遮液壁
４２  壁部
４４  軸体
４４ａ  軸体内の部屋
【図１】
2008200444.tif 000005
【図２】
2008200444.tif 000006
【図３】
2008200444.tif 000007
【図４】
2008200444.tif 000008
【図５】
2008200444.tif 000009